Podtech/llm-jp-corpus-v4-ja_patent huggingface dataset:
【手続補正書】
【提出日】平成17年4月26日(2005.4.26)
【手続補正１】
【補正対象書類名】明細書
【補正対象項目名】特許請求の範囲
【補正方法】変更
【補正の内容】
【特許請求の範囲】
【請求項１】  ケラチン繊維染色用の製剤を製造するための染毛料用の乳化剤としてのエステルクォートの使用。
【請求項２】  式(Ｉ):
【化１】
2001514198.tif 000001
[式中、Ｒ1ＣＯは炭素数６〜２２のアシル基であり、Ｒ2およびＲ3はそれぞれ、水素またはＲ1ＣＯと同意義であり、Ｒ4は炭素数１〜４のアルキル基または(ＣＨ2ＣＨ2Ｏ)qＨ基であり、m、nおよびpは、いずれも０であるか、または１〜１２の数であり、qは１〜１２の数であり、Ｘはハライド、アルキルスルフェートまたはアルキルホスフェートである。]
で示されるエステルクォートを使用する請求項１記載の使用。
【請求項３】  式(II):
【化２】
2001514198.tif 000002
[式中、Ｒ1ＣＯは炭素数６〜２２のアシル基であり、Ｒ2は水素またはＲ1ＣＯと同意義であり、Ｒ4およびＲ5はそれぞれ、炭素数１〜４のアルキル基であり、mおよびnは、いずれも０であるか、または１〜１２の数であり、Ｘはハライド、アルキルスルフェートまたはアルキルホスフェートである。]
で示されるエステルクォートを使用する請求項１記載の使用。
【請求項４】  式(III):
【化３】
2001514198.tif 000003
[式中、Ｒ1ＣＯは炭素数６〜２２のアシル基であり、Ｒ2は水素またはＲ1ＣＯと同意義であり、Ｒ4、Ｒ6およびＲ7はそれぞれ、炭素数１〜４のアルキル基であり、mおよびnは、いずれも０であるか、または１〜１２の数であり、Ｘはハライド、アルキルスルフェートまたはアルキルホスフェートである。]
で示されるエステルクォートを使用する請求項１記載の使用。
【請求項５】  エステルクォートを製剤に対して０．１〜５重量％の量で使用する請求項１〜４のいずれかに記載の使用。
【請求項６】  直接染毛料または酸化染毛料を使用する請求項１〜５のいずれかに記載の使用。
【請求項７】  染毛料を製剤に対して０．００１〜１重量％の量で使用する請求項１〜６のいずれかに記載の使用。
【請求項８】  炭素数６〜１８の脂肪アルコールから誘導するゲルベアルコール、直鎖Ｃ6-22脂肪酸と直鎖Ｃ6-22脂肪アルコールとのエステル、分枝状Ｃ6-13カルボン酸と直鎖Ｃ6-22脂肪アルコールとのエステル、直鎖Ｃ6-22脂肪酸と分枝状アルコールとのエステル、直鎖および／または分枝状脂肪酸と多価アルコールおよび／またはゲルベアルコールとのエステル、Ｃ6-10脂肪酸トリグリセリド、Ｃ6-18脂肪酸の液体モノ−／ジ−／トリグリセリド混合物、Ｃ6-22脂肪アルコールおよび／またはゲルベアルコールと芳香族カルボン酸とのエステル、植物油、分枝状第一級アルコール、置換シクロヘキサン、直鎖Ｃ6-22脂肪アルコールカーボネート、ゲルベカーボネート、安息香酸と直鎖および／または分枝状Ｃ6-22アルコールとのエステル、ジアルキルエーテル、エポキシ化脂肪酸エステルのポリオールによる開環生成物、シリコーン油、および／または脂肪族もしくはナフテン族炭化水素から成る群から選択する油をも使用する請求項１〜７のいずれかに記載の使用。
【請求項９】  油を、製剤に対して１０〜７０重量％の量で使用する請求項７記載の使用。
【手続補正書】
【提出日】平成17年4月11日(2005.4.11)
【手続補正１】
【補正対象書類名】明細書
【補正対象項目名】特許請求の範囲
【補正方法】変更
【補正の内容】
【特許請求の範囲】
【請求項１】a) 原核宿主細胞を、セリンプロテアーゼのチモーゲン前駆体をコードする組換え核酸で形質転換し、ここで、チモーゲン前駆体において天然非自己触媒的切断部位がプロテアーゼの活性体により認識される自己触媒的切断部位で置換されており、よってチモーゲン前駆体が切断されてその活性体が生産されるものであり、
b) 宿主細胞を培養し、核酸を発現させ、
c) 細胞質に形成されるチモーゲン前駆体を含む封入体を単離し、
d) チモーゲン前駆体を再生し、そして
e) チモーゲン前駆体を自己触媒的に切断してセリンプロテアーゼの活性体を産生させる、セリンプロテアーゼの組換え生産方法。
【請求項２】セリンプロテアーゼがトリプシン、トロンビン、Xa因子又はリシルエンドプロテイナーゼである、請求項１に記載の方法。
【請求項３】セリンプロテアーゼの自己触媒的に切断可能なチモーゲン前駆体であって、チモーゲン前駆体において天然非自己触媒的切断部位が自己触媒的切断部位で置換されている、上記前駆体。
【請求項４】セリンプロテアーゼの自己触媒的に切断可能なチモーゲン前駆体を含む封入体の調製物であって、チモーゲン前駆体において天然非自己触媒的切断部位が自己触媒的切断部位で置換されている、上記調製物。
【手続補正書】
【提出日】平成17年4月8日(2005.4.8)
【手続補正１】
【補正対象書類名】明細書
【補正対象項目名】特許請求の範囲
【補正方法】変更
【補正の内容】
【特許請求の範囲】
【請求項１】  単離された、ヒト尿由来のオステオカルシンフラグメントであって、ここで、以下のアミノ酸配列：
【数１】
2001514875.tif 000001
の位置１７、２１及び２４のグルタミン酸のうちの少なくとも１つがγ−カルボキシル化されており、さらにここで、上記フラグメントが、上記アミノ酸配列の位置６又は７のアミノ酸から位置３０のアミノ酸にわたることを特徴とする、前記フラグメント。
【請求項２】  上記位置１７、２１及び２４の３つのグルタミン酸すべてがγ−カルボキシル化されていることを特徴とする、請求項１に記載のフラグメント。
【請求項３】  γ−カルボキシル化オステオカルシンフラグメントの免疫学的検定法であって、ここで、以下のアミノ酸配列：
【数２】
2001514875.tif 000002
の位置１７、２１及び２４のグルタミン酸のうちの少なくとも１つがγ−カルボキシル化されており、さらにここで、前記フラグメントを含有する試料が前記γ−カルボキシル化オステオカルシンフラグメントに結合するモノクローナル抗体又は組換え抗体フラグメントに暴露され、前記試料が尿試料であることを特徴とする、前記免疫学的検定法。
【請求項４】  請求項３に記載の免疫学的検定法であって、ここで、前記フラグメントは、上記アミノ酸配列の
ｉ）位置７のアミノ酸から位置３０のアミノ酸まで、又は
ｉｉ）位置６のアミノ酸から位置３０のアミノ酸までのいずれかにわたり、かつ前記配列の位置１７、２１及び２４の３つのグルタミン酸すべてがγ−カルボキシル化されているものであり、さらにここで、オステオカルシンのγ−カルボキシル化フラグメントに関して同定されたエピトープに特異的なモノクローナル抗体又は組換え抗体フラグメントを用いることを特徴とする、前記免疫学的検定法。
【請求項５】  少なくとも２つの異なるモノクローナル抗体又は組換え抗体フラグメントを用い、非競合的であることを特徴とする、請求項３又は４に記載の免疫学的検定法。
【請求項６】  前記非競合的免疫学的検定法が１段階又は２段階インキュベーション手順で行われることを特徴とする、請求項５に記載の免疫学的検定法。
【請求項７】  前記用いられる２つのモノクローナル抗体が、分子量が３００５であると測定された前記フラグメントの、Ｃ末端エピトープ及びＮ末端エピトープを認識する抗体２Ｈ９及び６Ｆ９であることを特徴とする、請求項５に記載の免疫学的検定法。
【請求項８】  前記用いられる２つのモノクローナル抗体が、前記測定されたオステオカルシンフラグメント（６−３０又は７−３０）の、Ｎ−末端エピトープ及びＣ末端エピトープを認識する抗体６Ｆ９及び１Ｃ４であることを特徴とする、請求項５に記載の免疫学的検定法。
【請求項９】  前記用いられる２つのモノクローナル抗体が、前記測定されたオステオカルシンフラグメント（６−３０又は７−３０）の、Ｎ−末端エピトープ及びＣ−末端エピトープを認識する抗体６Ｆ９及び３Ｈ８であることを特徴とする、請求項５に記載の免疫学的検定法。
【請求項１０】  個体における、骨のターンオーバー（生成及び／又は吸収）速度の測定のため、及び／又は代謝性の骨の疾患の調査のためのγ−カルボキシル化オステオカルシンフラグメントの定量的測定法であって、ここで、以下のアミノ酸配列：
【数３】
2001514875.tif 000003
の位置１７、２１及び２４のグルタミン酸のうちの少なくとも１つがγ−カルボキシル化されており、さらにここで、上記測定が尿試料において行われる測定であることを特徴とする、前記定量的測定法。
【請求項１１】  前記フラグメントが、前記アミノ酸配列の位置６又は７のアミノ酸から位置３０のアミノ酸にわたる、請求項１０に記載の方法。
【請求項１２】  前記配列の位置１７、２１及び２４の３つのグルタミン酸すべてがγ−カルボキシル化されていることを特徴とする、請求項１１に記載の方法。
【請求項１３】  請求項３〜９のいずれか１項に記載の免疫学的検定法が用いられることを特徴とする、請求項１０に記載の方法。
【手続補正書】
【提出日】平成17年5月11日(2005.5.11)
【手続補正１】
【補正対象書類名】明細書
【補正対象項目名】００９５
【補正方法】変更
【補正の内容】
【００９５】
DF-200HF-スラリー迅速展開（2-パートキット）
パートＡ（液体発泡体成分）：
20g  Variquat 80MC
10g  Adogen 477
4g  1-ドデカノール
5g  ポリ（エチレングリコール）
8g  ジエチレングリコールモノブチルエーテル
5g  イソブタノール
50g  重炭酸カリウム
28g  水酸化カリウム（パートＡのpHは約10.4とすべきである）
953g  水
パートＢ（固体酸化剤成分）：
97g  尿素過酸化水素
30g  TAED（好ましくはWarwick International B637のようなカプセル化形態）
【手続補正書】
【提出日】平成16年5月11日(2004.5.11)
【手続補正１】
【補正対象書類名】特許請求の範囲
【補正対象項目名】全文
【補正方法】変更
【補正の内容】
【特許請求の範囲】
【請求項１】
（ａ）初期反応温度の発泡性反応混合物を準備し；
（ｂ）少なくとも一種の高沸点フルオロカーボン化合物を含む発泡剤を、前記初期反応温度より低温において準備し；
（ｃ）前記低温発泡剤を反応混合物に導入し；
（ｄ）前記発泡剤を含有する前記反応混合物からフォームを作成する；
工程を含む、フォームの製造方法。
【請求項２】
前記少なくとも一種の高沸点フルオロカーボン化合物が、約２個から約５個の炭素原子を有する少なくとも一種のヒドロフルオロカーボン化合物を含む、請求項１に記載の方法。
【請求項３】
前記少なくとも一種の高沸点フルオロカーボン化合物がＨＦＣ−３６５ｍｆｃを含む、請求項１に記載の方法。
【請求項４】
前記発泡剤がＨＦＣ−３６５ｍｆｃ及びＨＦＣ−２４５ｆａを含む、請求項１に記載の方法。
【請求項５】
前記発泡剤が、ＨＦＣ−３６５及びペンタフルオロプロパンを含む、請求項１に記載の方法。
【請求項６】
請求項１に記載の方法によって作成されたクローズドセルフォーム。
【請求項７】
（ａ）ポリイソシアネート、ポリオール及び触媒を含む発泡性反応混合物を準備し、その混合物の初期反応温度を約７０゜Ｆ以上とし；
（ｂ）約６５゜Ｆ以下の温度でＨＦＣ−３６５ｍｆｃを前記反応混合物に導入し；
（ｃ）前記導入工程（ｂ）の後、ｋ値が約０．１６０未満の硬質フォームを前記反応混合物から形成する；
工程を含む、フォームの製造方法。
【請求項８】
（ａ）発泡性反応混合物を準備し；
（ｂ）約７６゜Ｆ以下の温度で発泡剤を反応混合物に導入し；
（ｃ）前記導入工程（ｂ）の後、ｋ値が約０．１６０未満の硬質フォームを前記反応混合物から製造する；
工程を含む、フォームの製造方法。
【手続補正書】
【提出日】平成16年6月3日(2004.6.3)
【手続補正１】
【補正対象書類名】特許請求の範囲
【補正対象項目名】全文
【補正方法】変更
【補正の内容】
【特許請求の範囲】
【請求項１】
ケルダール窒素×６．２５（Ｎ×６．２５）で測定した場合に、乾燥重量基準で少なくとも９０重量％のタンパク質含有量を有し、好ましくは実質的に未変性であることを特徴とする亜麻油種子タンパク質単離物。
【請求項２】
前記のタンパク質含有量が少なくとも１００重量％（Ｎ×６．２５）であることを特徴とする、請求項１に記載の亜麻油種子タンパク質単離物。
【請求項３】
リノーラと呼ばれる亜麻の低リノレン酸変種から抽出される、請求項１または２に記載の亜麻種子タンパク質単離物。
【請求項４】
湿潤タンパク質ミセル集塊物の形態である、請求項１ないし３のいずれか１つに記載の亜麻種子タンパク質単離物。
【請求項５】
乾燥粉末の形態である、請求項１ないし３のいずれか１つに記載の亜麻種子タンパク質単離物。
【請求項６】
亜麻タンパク質ミセルの沈殿からの上澄乾燥物の形態である、請求項１ないし３のいずれか１つに記載の亜麻種子タンパク質単離物。
【請求項７】
亜麻タンパク質ミセルの沈殿からの濃縮上澄および沈殿亜麻タンパク質ミセルの乾燥した混合形態である、請求項１ないし３のいずれか１つに記載の亜麻タンパク質単離物。
【請求項８】
（ａ）亜麻油種子粕を抽出に付し、該油種子粕中のタンパク質の可溶化を生じさせ、タンパク質水溶液を形成すること、
（ｂ）残渣油種子粕からタンパク質水溶液を分離すること、
（ｃ）選択膜技術を使用して、イオン強度を実質的に一定に維持しながら前記タンパク質水溶液のタンパク質濃度を高め、濃縮タンパク質溶液を提供すること、
（ｄ）前記濃縮タンパク質溶液を冷水中に希釈し、タンパク質ミセルの形成を生じさせること、
（ｅ）タンパク質ミセルを沈降させ、無定形で、粘着性のある、ゼラチン状の、グルテン様タンパク質ミセル集塊物を形成すること、および
（ｆ）上澄液から、ケルダール窒素×６．２５で測定した場合に乾燥重量基準で少なくとも９０重量％、好ましくは少なくとも１００重量％のタンパク質含有量を有するミセル集塊物を回収すること、を特徴とする亜麻タンパク質単離物の調製方法。
【請求項９】
前記亜麻油種子粕の抽出が、
（ａ）少なくとも０．１０、好ましくは０．１５ないし０．６のイオン強度と、４ないし７、好ましくは５．３ないし６．２のｐＨを有する塩の水溶液を用いること、
（ｂ）少なくとも０．１０、好ましくは０．１５ないし０．６のイオン強度と、７ないし１２、好ましくは７ないし９のｐＨを有する塩の水溶液を用い、そして好ましくは前記抽出ステップに続いて、そのタンパク質水溶液のｐＨを、前記濃縮ステップに先立って、４ないし７に調整すること、または
（ｃ）亜麻油種子粕を水で抽出し、次いで少なくとも０．１０、好ましくは０．１５ないし０．６のイオン強度を有するタンパク質水溶液を提供するために、得られたタンパク質水溶液に塩を加えること、
によって行われることを特徴とする請求項８に記載の方法。
【請求項１０】
前記タンパク質水溶液が５〜ないし３０ｇ／Ｌ、好ましくは１０ないし２５ｇ／Ｌのタンパク質含有量を有することを特徴とする、請求項８または９に記載の方法。
【請求項１１】
前記のタンパク質濃縮ステップを、好ましくは２０００ないし５０，０００ダルトンの分子量カットオフを有する膜を用いる限外濾過により実施し、少なくとも５０ｇ／Ｌ、好ましくは少なくとも１００ｇ／Ｌの濃度を有する濃縮タンパク質溶液を得ることを特徴とする、請求項８ないし１０のいずれか１つに記載の方法。
【請求項１２】
前記濃縮タンパク質溶液を、濃縮タンパク質溶液の粘度を低下させるために、少なくとも２０℃、好ましくは２５°ないし４０℃の、しかし、それを超えると希釈の際に濃縮タンパク質溶液の温度がミセルの形成を可能にしない温度を超えない温度に加温することを特徴とする、請求項８ないし１１のいずれか１つに記載の方法。
【請求項１３】
前記濃縮タンパク質溶液を、所望の希釈度を達成するのに必要な容量を有し、かつ好ましくは１０℃未満の温度を有する水本体中に添加することによって、前記濃縮タンパク質溶液を１５倍以下、好ましくは１０倍以下まで希釈することを特徴とする、請求項８ないし１２のいずれか１つに記載の方法。
【請求項１４】
回収したタンパク質ミセル集塊物をタンパク質性粉末に乾燥することを特徴とする、請求項８ないし１３のいずれか１つに記載の方法。
【請求項１５】
沈降ステップからの上澄液を処理して更なる亜麻タンパク質単離物を回収することを特徴とする、請求項８ないし１４のいずれか１つに記載の方法。
【請求項１６】
前記上澄液を、膜技術、好ましくは３，０００ないし１０，０００ダルトンの分子量カットオフを有する膜を用い、好ましくは１００ないし４００ｇ／Ｌ、より好ましくは２００ないし３００ｇ／Ｌのタンパク質濃度にまで濃縮し、且つ前記濃縮された上澄液を乾燥し、乾燥重量ベースで、ケルダール窒素×６．２５で計算して少なくとも９０重量％のタンパク質濃度を有するさらなる亜麻タンパク質単離物を得ることを特徴とする請求項１５に記載の方法。
【請求項１７】
前記上澄液を、好ましくは３，０００ないし１０，０００ダルトンの分子量カットオフを有する膜を用いて好ましくは１００ないし４００ｇ／Ｌ、より好ましくは２００ないし３００ｇ／Ｌのタンパク質濃度まで濃縮し、その濃縮された上澄液を前記タンパク質ミセル集塊物と混合し、且つその混合物を乾燥し、乾燥重量ベースで、ケルダール窒素×６．２５で計算して、少なくとも９０重量％のタンパク質濃度を有するさらなる亜麻タンパク質単離物を得ることを特徴とする、請求項１５に記載の方法。
【請求項１８】
ステップ（ａ）から（ｆ）をバッチ操作、連続操作または半連続方式で実施することを特徴とする、請求項８ないし１７のいずれか１つに記載の方法。
【請求項１９】
前記亜麻油種子粕がリノーラ油種子粕であることを特徴とする、請求項８ないし１８のいずれか１つに記載の方法。
【手続補正書】
【提出日】平成16年10月4日(2004.10.4)
【手続補正１】
【補正対象書類名】特許請求の範囲
【補正対象項目名】請求項１
【補正方法】変更
【補正の内容】
【請求項１】
プロピレンとエチレンおよび／またはC4〜C8α-オレフィンとのコポリマーの製造方法であって、プロピレンならびにエチレンおよび／又は該オレフィンを重合条件下で、担体を含むオレフィン重合触媒と接触させることを含み、該触媒に含まれる担体粒子は、55μmより大きい最小寸法を有する該生成物の粒子を実質的に含まない方法。
【手続補正２】
【補正対象書類名】特許請求の範囲
【補正対象項目名】請求項２
【補正方法】変更
【補正の内容】
【請求項２】
担体前駆体の溶融物を噴霧結晶化して、500μmまでの大きさの粒子を含む噴霧結晶化生成物を生じることにより、該担体が製造される請求項１記載の方法。
【手続補正３】
【補正対象書類名】明細書
【補正対象項目名】００１０
【補正方法】変更
【補正の内容】
【００１０】
好ましい実施態様においては、担体は、担体前駆体の溶融物を噴霧結晶化して、500μmの大きさまでの粒子を含む噴霧結晶化生成物を生じることによって製造される。
【手続補正書】
【提出日】平成15年12月22日(2003.12.22)
【手続補正１】
【補正対象書類名】特許請求の範囲
【補正対象項目名】全文
【補正方法】変更
【補正の内容】
【特許請求の範囲】
【請求項１】
プラズマ処理装置であって、
互いの間にギャップを有しているとともに、電子閉込電極として接続される、少なくとも２つの表面と；
前記表面どうしの間において前記ギャップを通過して延在する少なくとも１つの磁界と；
前記少なくとも１つの磁界の近傍に配置された少なくとも１つのアノード構造であって、前記電極とアノード構造との間に十分なガス圧力と電圧とが供給されたときには、前記少なくとも１つの磁界の内部において発散性電界を形成し、これにより、前記少なくとも１つの磁界の内部に閉ループホール電流閉込領域を形成し、その閉込領域内にプラズマを形成するような、少なくとも１つのアノード構造と；
少なくとも１つの連続的に移動する基材であって、前記プラズマによって処理され得るような配置とされ、少なくとも１つのプラズマ対向面上に支持され、この少なくとも１つの連続的に移動する基材のうちの、少なくとも１つの表面が、前記プラズマと前記少なくとも１つのプラズマ対向面との間に配置されているような、少なくとも１つの連続的に移動する基材と；
を具備することを特徴とするプラズマ処理装置。
【請求項２】
請求項１記載のプラズマ処理装置において、
前記少なくとも１つの連続的に移動する基材が、化学気相蒸着プロセスとスパッタコーティングプロセスとイオンエッチングプロセスとプラズマ表面修飾プロセスとこれらの組合せとからなるグループの中から選択された処理によって、プラズマ処理され得るように配置されていることを特徴とするプラズマ処理装置。
【請求項３】
請求項１記載のプラズマ処理装置において、
前記磁界が、ミラー磁界を備えていることを特徴とするプラズマ処理装置。
【請求項４】
請求項１記載のプラズマ処理装置において、
前記少なくとも１つの連続的に移動する基材が、フレキシブルウェブを備えていることを特徴とするプラズマ処理装置。
【請求項５】
請求項１記載のプラズマ処理装置において、
前記少なくとも１つの連続的に移動する基材が、剛直平板状基材を備えていることを特徴とするプラズマ処理装置。
【請求項６】
請求項１記載のプラズマ処理装置において、
前記少なくとも１つの連続的に移動する基材が、ロール上に支持されていることを特徴とするプラズマ処理装置。
【請求項７】
請求項６記載のプラズマ処理装置において、
前記ロールが、一方の電極とされていることを特徴とするプラズマ処理装置。
【請求項８】
請求項７記載のプラズマ処理装置において、
前記少なくとも１つの連続的に移動する基材が、さらに、第２ロール上に支持され、
この第２ロールが、他方の電極とされていることを特徴とするプラズマ処理装置。
【請求項９】
請求項１記載のプラズマ処理装置において、
前記少なくとも２つの表面が、単一の電源に対して接続されていることを特徴とするプラズマ処理装置。
【請求項１０】
請求項１記載のプラズマ処理装置において、
前記少なくとも２つの表面が、互いに個別の電源に対して接続されていることを特徴とするプラズマ処理装置。
【請求項１１】
請求項１記載のプラズマ処理装置において、
前記少なくとも１つの連続的に移動する基材が、前記少なくとも１つのアノード構造をプラズマコーティングから遮蔽し得るよう、前記少なくとも１つのアノード構造の周囲に配置されていることを特徴とするプラズマ処理装置。
【請求項１２】
請求項１記載のプラズマ処理装置において、
さらに、前記ギャップ内の磁界を増強するための戻り磁界と、浮遊磁界を収集するためのシャントと、を具備していることを特徴とするプラズマ処理装置。
【請求項１３】
プラズマ処理方法であって、
（ａ）互いの間にギャップを有しているとともに、電子閉込電極として接続される、少なくとも２つの表面を準備し；
（ｂ）前記表面どうしの間において前記ギャップを通過して延在する少なくとも１つの磁界を準備し；
（ｃ）前記少なくとも１つの磁界の周囲に配置された少なくとも１つのアノード構造を使用することによって、前記少なくとも１つの磁界の内部において発散性電界を形成し、この発散性電界が、前記少なくとも１つの磁界の内部に閉ループホール電流閉込領域を形成し；
（ｄ）その閉込領域内にプラズマを形成し；
（ｅ）前記磁界に対しての基材の移動あるいは基材に対しての前記磁界の移動のうちの少なくとも一方を行うことにより、前記プラズマによって前記基材を処理する；
ことを特徴とするプラズマ処理方法。
【請求項１４】
請求項１３記載のプラズマ処理方法において、
化学気相蒸着プロセスとスパッタコーティングプロセスとイオンエッチングプロセスとプラズマ表面修飾プロセスとこれらの組合せとからなるグループの中から選択された処理によって、前記基材をプラズマ処理することを特徴とするプラズマ処理方法。
【手続補正書】
【提出日】平成17年1月21日(2005.1.21)
【手続補正１】
【補正対象書類名】特許請求の範囲
【補正対象項目名】全文
【補正方法】変更
【補正の内容】
【特許請求の範囲】
【請求項１】
２、３、または４つの別個のタンパク質−多糖複合体を含み、各複合体が、１以上の担体タンパク質に結合した２以上の髄膜炎菌血清群由来の莢膜多糖を含むことを特徴とする免疫組成物。
【請求項２】
前記莢膜多糖が、髄膜炎菌血清群Ａ、Ｃ、Ｗ−１３５、およびＹ由来の莢膜多糖より成る群から選択されることを特徴とする請求項１記載の免疫組成物。
【請求項３】
前記莢膜多糖が、髄膜炎菌血清群ＡおよびＣ由来の莢膜多糖であることを特徴とする請求項１記載の免疫組成物。
【請求項４】
前記莢膜多糖が、髄膜炎菌血清群Ａ、Ｃ，Ａ−１３５、およびＣ由来の莢膜多糖であることを特徴とする請求項１記載の免疫組成物。  
【請求項５】
前記担体タンパク質がジフテリアトキソイドであることを特徴とする請求項１記載の免疫組成物。
【請求項６】
アジュバントをさらに含むことを特徴とする請求項１記載の免疫組成物。
【請求項７】
前記アジュバントが水酸化アルミニウムであることを特徴とする請求項５記載の免疫組成物。
【請求項８】
前記アジュバントがリン酸アルミニウムであることを特徴とする請求項５記載の免疫組成物。
【請求項９】
髄膜炎菌の莢膜多糖に対する免疫応答を誘導するためにヒトまたは動物に投与されることを特徴とする請求項１記載の免疫組成物。
【請求項１０】
免疫学的効果量の２から４つの別個のタンパク質−多糖複合体から成り、各複合体が担体タンパク質に結合した異なる莢膜多糖を含み、各莢膜多糖が血清群Ａ、Ｃ、Ｗ−１３５、およびＹ由来の莢膜多糖より成る群から選択されることを特徴とする多価髄膜炎菌ワクチン。
【請求項１１】
前記莢膜多糖が、髄膜炎菌血清群ＡおよびＣから調製されることを特徴とする請求項１０記載の多価髄膜炎菌ワクチン。
【請求項１２】
前記莢膜多糖が、髄膜炎菌血清群Ａ、Ｃ，Ａ−１３５、およびＣから調製されることを特徴とする請求項１０記載の多価髄膜炎菌ワクチン。  
【請求項１３】
前記担体タンパク質がジフテリアトキソイドであることを特徴とする請求項１０記載の多価髄膜炎菌ワクチン。
【請求項１４】
アジュバントをさらに含むことを特徴とする請求項１０記載の多価髄膜炎菌ワクチン。
【請求項１５】
前記アジュバントが水酸化アルミニウムであることを特徴とする請求項１４記載の多価髄膜炎菌ワクチン。
【請求項１６】
前記アジュバントがリン酸アルミニウムであることを特徴とする請求項５記載の多価髄膜炎菌ワクチン。
【請求項１７】
髄膜炎菌に感染しやすいヒトまたは動物を防御するためにヒトまたは動物に投与されることを特徴とする請求項１０記載の多価髄膜炎菌ワクチン。
【手続補正書】
【提出日】平成16年12月10日(2004.12.10)
【手続補正１】
【補正対象書類名】特許請求の範囲
【補正対象項目名】全文
【補正方法】変更
【補正の内容】
【特許請求の範囲】
【請求項１】
損傷または疾患の作用を緩和するために、中枢神経系もしくは末梢神経系の神経再生を促進するためのまたは変性を低下もしくは抑制するための医薬組成物の調製のための、
（ａ）ＣＮＳ特異的抗原から得られる自己ペプチドの修飾により得られるペプチド（ここで、この修飾は、異なるアミノ酸残基による自己ペプチドの１つ以上のアミノ酸残基の置換からなり、該修飾ＣＮＳペプチドは、低い親和性であるが自己ペプチドにより認識されるＴ細胞受容体をまだ認識することができる）（以後「修飾ＣＮＳペプチド」）；
（ｂ）（ａ）の修飾ＣＮＳペプチドをコードするヌクレオチド配列；
（ｃ）（ａ）の修飾ＣＮＳペプチドにより活性化されるＴ細胞；および
（ｄ）（ａ）〜（ｃ）の任意の組合せ、
から選択される活性成分の使用。
【請求項２】
請求項１の使用であって、（ａ）で定義される該ＣＮＳ特異的抗原は、ミエリン塩基性タンパク質（ＭＢＰ）、ミエリン乏突起神経膠芽細胞糖タンパク質（ＭＯＧ）、プロテオ脂質タンパク質（ＰＬＰ）、ミエリン関連タンパク質（ＭＡＧ）、Ｓ−１００、β−アミロイド、Ｔｈｙ−１、Ｐ０、Ｐ２、および神経伝達物質受容体よりなる群から選択される、上記使用。
【請求項３】
修飾ＣＮＳペプチドは、ＣＮＳ特異的抗原からのペプチドの修飾により得られ、このペプチドは、該抗原の免疫原性エピトープまたは潜在エピトープである、請求項１または２の使用。
【請求項４】
ＣＮＳ特異的抗原はＭＢＰである、請求項２または３の使用。
【請求項５】
修飾ＣＮＳペプチドは、ＭＢＰのペプチドｐ１１、ｐ５１−７０、ｐ８７−９９、ｐ９１−１１０、ｐ１３１−１５０、またはｐ１５１−１７０よりなる群から選択される自己ペプチドの修飾により得られる、請求項４の使用。
【請求項６】
修飾ＣＮＳペプチドは、ＭＢＰの自己ペプチドｐ８７−９９の修飾により得られる、請求項５の使用。
【請求項７】
修飾ＣＮＳペプチドは、ＭＢＰのペプチドｐ８７−９９のリジン残基９１をグリシン（Ｇ９１）で置換することにより得られる、請求項６の使用。
【請求項８】
修飾ＣＮＳペプチドは、ＭＢＰのペプチドｐ８７−９９のリジン残基９１をアラニン（Ａ９１）で置換することにより得られる、請求項６の使用。
【請求項９】
修飾ＣＮＳペプチドは、ＭＢＰのペプチドｐ８７−９９のプロリン残基９６をアラニン（Ａ９６）で置換することにより得られる、請求項６の使用。
【請求項１０】
（ｃ）の活性化Ｔ細胞は、自己Ｔ細胞、関連するドナー、ＨＬＡの一致したまたは部分的に一致した半同種のドナー、およびＨＬＡの一致したまたは部分的に一致した完全に同種のドナーからの同種のＴ細胞よりなる群から選択される、請求項１の使用。
【請求項１１】
自己Ｔ細胞は、保存されているか、または自己の中枢神経系細胞から得られる、請求項１０の使用。
【請求項１２】
活性化Ｔ細胞は、半同種のＴ細胞である、請求項１０の使用。
【請求項１３】
Ｔ細胞は、請求項２〜９のいずれか１項で定義される修飾ＣＮＳペプチドにより活性化されている、請求項１０〜１２のいずれか１項に記載の使用。
【請求項１４】
Ｔ細胞は、請求項７〜９のいずれか１項で定義される修飾ＣＮＳペプチドにより活性化されている、請求項１０〜１２のいずれか１項に記載の使用。
【請求項１５】
医薬組成物は、静脈内、経口、鼻内、くも膜下、筋肉内、皮内、局所的、皮下、粘膜または頬経路で投与される、請求項１〜１４のいずれか１項に記載の使用。
【請求項１６】
損傷は、脊髄損傷、鈍的外傷、穿通外傷、出血性卒中、または虚血性卒中である、請求項１〜１５のいずれか１項に記載の使用。
【請求項１７】
疾患は、糖尿病性神経症、老年痴呆、アルツハイマー病、パーキンソン病、顔面神経（ベルの）痺痲、緑内障、ハンチントン舞踏病、筋萎縮性側策硬化症、非動脈炎視神経症、またはビタミン欠乏症である、請求項１〜１５のいずれか１項に記載の使用。
【手続補正書】
【提出日】平成16年11月2日(2004.11.2)
【手続補正１】
【補正対象書類名】特許請求の範囲
【補正対象項目名】全文
【補正方法】変更
【補正の内容】
【特許請求の範囲】
【請求項１】
荷電した脂質と会合した生物活性剤を含有してなる粒子であって、ここで該荷電した脂質は全体で正味の正の電荷を有し、該薬剤は会合の際に全体で正味の負の電荷を有し、該薬剤の放出が持続される粒子の有効量を治療、予防または診断を必要とする患者の気道に投与することを含む、肺系を介する送達方法に使用され得る粒子。
【請求項２】
薬剤と荷電した脂質との会合がイオン複合体形成を含む請求項１記載の粒子。
【請求項３】
脂質と薬剤との会合が水素結合をさらに含む請求項２記載の粒子。
【請求項４】
脂質対生物活性剤の電荷比が0.25:1〜1:0.25である請求項１記載の粒子。 
【請求項５】
生物活性剤がタンパク質である請求項１記載の粒子。
【請求項６】
タンパク質がインスリンである請求項５記載の粒子。
【請求項７】
持続放出が投与後少なくとも６時間である請求項６記載の粒子。
【請求項８】
脂質が1,2-ジアシル-sn-グリセロ-3-アルキルホスホコリンまたは1,2-ジアシル-sn-グリセロ-3-アルキルホスホアルカノールアミンである請求項１記載の粒子。
【請求項９】
1,2-ジアシル-sn-グリセロ-3-アルキルホスホコリン脂質が式III：
【化１】
2005504715.tif 000001
式中、R1およびR2は独立して３〜24個の炭素を有する脂肪族基である；および
R3は１〜24個の炭素を有する脂肪族基である、
により表される請求項８記載の粒子。
【請求項１０】
1,2-ジアシル-sn-グリセロ-3-アルキルホスホコリンが1,2-ジパルミトイル-sn-グリセロ-3-エチルホスホコリン（DPePC）、1,2-ジミリストイル-sn-グリセロ-3-エチルホスホコリン（DMePC）、1,2-ジステアロイル-sn-グリセロ-3-エチルホスホコリン（DSePC）、1,2-ジラウロイル-sn-グリセロ-3-エチルホスホコリン（DLePC）、1,2-ジオレオイル-sn-グリセロ-3-エチルホスホコリン（DOePC）またはその任意の組み合わせである請求項８記載の粒子。
【請求項１１】
1,2-ジアシル-sn-グリセロ-3-アルキルホスホアルカノールアミンが式IV：
【化２】
2005504715.tif 000002
式中、R1およびR2は、独立して３〜24炭素を有する脂肪族基であり；
R3は、１〜24炭素を有する脂肪族基である；および
R4は、独立して、水素または１〜６炭素を有する脂肪族基である
により表される請求項８記載の粒子。
【請求項１２】
1,2-ジアシル-sn-グリセロ-3-アルキルホスホアルカノールアミンが1,2-ジパルミトイル-sn-グリセロ-3-エチルエタノールアミン（DPePE）、1,2-ジミリストイル-sn-グリセロ-3-エチルホスホエタノールアミン（DMePE）、1,2-ジステアロイル-sn-グリセロ-3-エチルホスホエタノールアミン（DSePE）、1,2-ジラウロイル-sn-グリセロ-3-エチルホスホエタノールアミン（DLePE）、1,2-ジオレオイル-sn-グリセロ-3-エチルホスホエタノールアミン（DOePE）またはその任意の組み合わせである請求項８記載の粒子。
【請求項１３】
粒子が0.4g/cm3未満の嵩密度を有する請求項１記載の粒子。 
【請求項１４】
粒子が５マイクロメートル〜30マイクロメートルのメジアン幾何学的直径を有する請求項１記載の粒子。
【請求項１５】
粒子が１〜５ミクロンの空気力学的直径を有する請求項１記載の粒子。 
【請求項１６】
肺系への送達が深肺への送達、中央気道への送達、または上気道への送達を含む請求項１記載の粒子。 
【請求項１７】
粒子が全体で正味の電荷を有さない脂質をさらに含む請求項１記載の粒子。
【請求項１８】
粒子がカルボン酸またはその塩をさらに含む請求項１記載の粒子。
【請求項１９】
カルボン酸が少なくとも２つのカルボキシル基を含む請求項１８記載の粒子。
【請求項２０】
粒子が多価金属塩またはそのイオン成分をさらに含む請求項１記載の粒子。
【請求項２１】
多価塩がアルカリ土類金属の塩である請求項２０記載の粒子。
【請求項２２】
粒子がアミノ酸をさらに含む請求項１記載の粒子。
【請求項２３】
アミノ酸が疎水性である請求項２２記載の粒子。
【請求項２４】
疎水性アミノ酸がロイシン、イソロイシン、アラニン、バリン、フェニルアラニンまたはその任意の組み合わせである請求項２３記載の粒子。
【請求項２５】
荷電した脂質と会合したインスリンを含有してなる粒子であって、ここで該荷電した脂質は、会合の際にインスリンの全体で正味の負の電荷とは逆の全体で正味の正の電荷を有し、該インスリンの放出が持続される粒子の有効量を治療を必要とする患者の気道に投与することを含む、肺系を介する送達方法に使用され得る粒子。
【請求項２６】
脂質が1,2-ジアシル-sn-グリセロ-3-アルキルホスホコリンまたは1,2-ジアシル-sn-グリセロ-3-アルキルホスホアルカノールアミンである請求項２５記載の粒子。
【請求項２７】
1,2-ジアシル-sn-グリセロ-3-アルキルホスホコリンが1,2-ジパルミトイル-sn-グリセロ-3-エチルホスホコリン（DPePC）、1,2-ジミリストイル-sn-グリセロ-3-エチルホスホコリン（DMePC）、1,2-ジステアロイル-sn-グリセロ-3-エチルホスホコリン（DSePC）、1,2-ジラウロイル-sn-グリセロ-3-エチルホスホコリン（DLePC）、1,2-ジオレオイル-sn-グリセロ-3-エチルホスホコリン（DOePC）またはその任意の組み合わせである請求項２６記載の粒子。
【請求項２８】
1,2-ジアシル-sn-グリセロ-3-アルキルホスホアルカノールアミンが1,2-ジパルミトイル-sn-グリセロ-3-エチルエタノールアミン（DPePE）、1,2-ジミリストイル-sn-グリセロ-3-エチルホスホエタノールアミン（DMePE）、1,2-ジステアロイル-sn-グリセロ-3-エチルホスホエタノールアミン（DSePE）、1,2-ジラウロイル-sn-グリセロ-3-エチルホスホエタノールアミン（DLePE）、1,2-ジオレオイル-sn-グリセロ-3-エチルホスホエタノールアミン（DOePE）またはその任意の組み合わせである請求項２６記載の粒子。
【請求項２９】
薬剤と荷電した脂質との会合がイオン複合体形成を含む請求項２５記載の粒子。
【請求項３０】
脂質および薬剤の会合が水素結合をさらに含む請求項２９記載の粒子。
【請求項３１】
脂質対生物活性剤の電荷比が0.25:1〜1:0.25である請求項２５記載の粒子。 
【請求項３２】
粒子がカルボン酸をさらに含有する請求項２５記載の粒子。
【請求項３３】
粒子がアミノ酸をさらに含有する請求項２５記載の粒子。
【請求項３４】
粒子が全体で正味の電荷を有さない脂質をさらに含有する請求項２５記載の粒子。
【請求項３５】
粒子が多価金属塩またはそのイオン成分をさらに含有する請求項２５記載の粒子。
【請求項３６】
肺系への送達が深肺への送達、中央気道への送達、または上気道への送達を含む請求項２５記載の粒子。
【手続補正書】
【提出日】平成17年4月15日(2005.4.15)
【手続補正１】
【補正対象書類名】特許請求の範囲
【補正対象項目名】全文
【補正方法】変更
【補正の内容】
【特許請求の範囲】
【請求項１】
式Ｉ：
【化１】
2005504752.tif 000001
［式中、- - - - 結合のある結合は二重結合であり、他の結合は単結合であり、
Ｑは、Ｎ又はＣであり、
Ｒ１は、利用可能な原子価を有する窒素原子に結合しており、水素、Ｃ１−６アルキル、Ｃ２−６アルケニル、Ｃ３−６シクロアルキル、アリール−Ｃ１−３アルキル及びアリール（但し、該アルキル、アルケニル、シクロアルキル及びアリールは、Ｘから独立に選択された１個から３個の基によって置換されてもよい）から選択され、
Ｒ２は、Ｒ１から選択された基であり、
Ｒ３、Ｒ４、Ｒ６及びＲ７は、水素、Ｘ、Ｃ２−６アルケニル及びＣ３−６シクロアルキル（但し、該アルケニル及びシクロアルキルは、Ｘから独立に選択された１個から３個の基によって置換されてもよい）から独立に選択され、
Ｒ５は、水素、Ｃ１−６アルキル、Ｃ２−６アルケニル、Ｃｙ及びＣｙ−Ｃ１−３アルキル（但し、該アルキル、アルケニル及びＣｙは、Ｘから独立に選択された１個から３個の基によって置換されてもよい）から選択され、
Ｃｙは、シクロアルキル、ヘテロシクリル、アリール及びヘテロアリールから選択され、
Ｘは、
（ａ）ハロ、
（ｂ）ＣＮ、
（ｃ）ＯＲａ、
（ｄ）Ｃ１−６ペルフルオロアルキル、
（ｅ）Ｃ（Ｏ）Ｒａ、
（ｆ）Ｃ（Ｏ）ＯＲａ、
（ｇ）Ｃ（Ｏ）ＮＲｂＲｃ、
（ｈ）ＮＲｂＲｃ、
（ｉ）ＮＨＲｂＮＨＲｂ、
（ｊ）ＮＨＣ（Ｏ）Ｒａ、
（ｋ）ＮＨＣ（Ｏ）ＯＲａ、
（ｌ）フェニル（但し、フェニルは、ＲＸから独立に選択された１個から３個の基によって置換されてもよい）、
（ｍ）ＯＨ、Ｃ３−７シクロアルキル、フェニル又はヘテロシクリルによって任意に置換されたＣ１−６アルキル（但し、フェニルは、ＲＸから独立に選択された１個から３個の基によって置換されてもよく、該ヘテロシクリルは、Ｒｙから独立に選択された１個から３個の基によって置換されてもよい）、
（ｎ）ヘテロシクリル（但し、該ヘテロシクリルは、Ｒｙから独立に選択された１個から３個の基によって置換されてもよい）、
（ｏ）Ｓ（Ｏ）ｎＲａ（但し、ｎは０、１又は２である）及び
（ｐ）ＳＯ２ＮＨＲａ
から選択され、
Ｒａ、Ｒｂ及びＲｃは、水素、Ｃ１−６アルキル、Ｃ２−６アルケニル、Ｃ２−６アルキニル、Ｃｙ及びＣｙ−Ｃ１−３アルキル（但し、該Ｃｙは、Ｒｙから選択された１個から３個の基によって置換されてもよい）から独立に選択され、又は
Ｒｂ及びＲｃは、それらが結合している原子と一緒に、酸素、硫黄及びＮ−Ｒｅから独立に選択された０個から２個の追加のヘテロ原子を含有する４から７員の複素環式環を形成し、
Ｒｅは、水素、Ｃ１−６アルキル、Ｃｙ及びＣｙ−Ｃ１−３アルキルから選択され、
Ｒｘは、ハロ、フェニル、ＣＮ、ＮＯ２、ＯＨ、ＯＣ１−６アルキル、Ｃ１−６アルキル、ＮＨ２、ＮＨＣ１−６アルキル、Ｎ（Ｃ１−６アルキル）２、Ｃ（Ｏ）Ｃ１−６アルキル、Ｃ（Ｏ）ＯＣ１−６アルキル、Ｃ（Ｏ）ＮＨＣ１−６アルキル、Ｃ（Ｏ）Ｎ（Ｃ１−６アルキル）２、ＮＨＣ（Ｏ）Ｃ１−６アルキルから選択され、
Ｒｙは、Ｒｘ、オキソ、Ｃ３−７シクロアルキルによって置換されたＣ１−６アルキル及びＣ（Ｏ）ＯＣＨ２−フェニルから選択された基である］
の化合物又はその医薬適合性の塩。
【請求項２】
Ｒ１が、水素、Ｃ１−６アルキル、Ｃ３−６シクロアルキル及びアリール−Ｃ１−３アルキル（但し、アルキル、シクロアルキル及びアリールは、Ｘから独立に選択された１個又は２個の基によって置換されてもよい）から選択される、請求項１に記載の化合物。
【請求項３】
Ｒ３及びＲ４が、水素、ハロゲン及びトリフルオロメチルから独立に選択される、請求項１に記載の化合物。
【請求項４】
ＱがＣであり、およびＲ３及びＲ４の一方が９位に於いてハロゲン又はトリフルオロメチルであり、他方がＨ、ハロゲン又はトリフルオロメチルである、請求項１に記載の化合物。
【請求項５】
Ｒ５が、Ｃ１−６アルキル及びＣｙ（但し、それぞれは、Ｘから独立に選択された１個から３個の基によって置換されてもよい）から選択される、請求項１に記載の化合物。
【請求項６】
Ｒ５が、Ｘから独立に選択された１個から３個の基によって置換されてもよいフェニルである、請求項１に記載の化合物。
【請求項７】
ＱがＣである、請求項１に記載の化合物。
【請求項８】
ＱがＮである、請求項１に記載の化合物。
【請求項９】
請求項１に記載の化合物及び医薬適合性の担体を含む医薬組成物。
【請求項１０】
哺乳動物に於けるヤヌスプロテインチロシンキナーゼ媒介疾患の治療用医薬の製造における請求項１に記載の化合物の使用。
【手続補正書】
【提出日】平成16年2月25日(2004.2.25)
【手続補正１】
【補正対象書類名】特許請求の範囲
【補正対象項目名】請求項８
【補正方法】変更
【補正の内容】
【請求項８】
前記有機酸がクエン酸であることを特徴とする、請求項７に記載の組成物。
【手続補正２】
【補正対象書類名】図面
【補正対象項目名】図１
【補正方法】変更
【補正の内容】
【図１】
2005504775.tif 000001
【手続補正書】
【提出日】平成15年12月16日(2003.12.16)
【手続補正１】
【補正対象書類名】明細書
【補正対象項目名】発明の名称
【補正方法】変更
【補正の内容】
【発明の名称】ＧＳＫ−３インヒビターとして有用な組成物
【手続補正書】
【提出日】平成16年3月31日(2004.3.31)
【手続補正１】
【補正対象書類名】特許請求の範囲
【補正対象項目名】全文
【補正方法】変更
【補正の内容】
【特許請求の範囲】
【請求項１】
一般式Ｉ：
【化１】
2005504786.tif 000001
（式中、
Ｒ20およびＲ20aは、単独でフルオロ、クロロ、ブロモ、アジド、シアノ、イソシアノ、ロダノ、イソチオシアノ、Ｃ1-4-アルキルまたはヒドロキシＣ1-4-アルキルを表わし、
Ｒ10は、水素原子またはメチル基を表わし、
Ｒ4は、水素とＣ1-4-アルキルとからなる群から選択し、
Ｒ1およびＲ2は、それぞれ水素原子または一緒になって追加の結合を表わす）、
のハロゲン置換および擬ハロゲン置換17-メチレンー4-アザステロイド。
【請求項２】
Ｒ4が、Ｈ又はMeを表わし、
Ｒ20およびＲ20aが、Ｆ、Cl、Br、CNを表わす請求項１記載のハロゲン置換および擬ハロゲン置換17-メチレンー4-アザステロイド。
【請求項３】
請求項１記載の下記のハロゲン置換および擬ハロゲン置換17-メチレンー4-アザステロイド：
E-17-クロロメチレン-4-アザ-5α-エストラン-3-オン、
E-17-クロロメチレン-4-アザ-5α-アンドロスタン-3-オン、
E-17-クロロメチレン-4-メチル-4-アザ-5α-エストラン-3-オン、
E-17-クロロメチレン-4-メチル-4-アザ-5α-アンドロスタン-3-オン、
E-17-クロロメチレン-4-アザ-5α-エストル-１-エン-3-オン、
E-17-クロロメチレン-4-アザ-5α-アンドロスト-１-エン-3-オン、
E-17-クロロメチレン-4-メチル-4-アザ-5α-アンドロスト-１-エン-3-オン、
E-17-ブロムメチレン-4-メチル-4-アザ-5α-エストラン-3-オン、
E-17-ブロムメチレン-4-メチル-4-アザ-5α-エストラン-3-オン、
E-17-シアノメチレン-4-メチル-4-アザ-5α-エストラン-3-オン、
E-17-シアノメチレン-4-メチル-4-アザ-5α-エストラン-3-オン、
Ｚ-17-(1’)-クロロエチリデン-4-メチル-4-アザ-5α-アンドロスタン-3-オン、
Ｚ-17-(1’)-クロロエチリデン-4-メチル-4-アザ-5α-エストラン-3-オン、
Ｚ-17-(1’)-ブロムエチリデン-4-メチル-4-アザ-5α-アンドロスタン-3-オン、
Ｚ-17-(1’)-ブロムエチリデン-4-メチル-4-アザ-5α-エストラン-3-オン。
【請求項４】
請求項１記載の化合物を製造する方法において、
一般式II：
【化２】
2005504786.tif 000002
（式中、
Ｒ20は、フルオロ官能基、クロロ官能基、ブロモ官能基またはシアノ官能基を表わし、
Ｒ10は、水素原子またはメチル基を表わす）
の17-メチレンステロイドをそれ自体公知の仕方でプロトン性溶媒中でKMnO4の触媒下でNalO4と反応させて3.5-セコケト酸を生成させ、これを氷酢酸中でNH4OAcと共に閉環させて不飽和ラクタムを生成させ、DMF中でHCOOHで還元して、一般式IIに示す置換基Ｒ20およびＲ10を有する一般式III：
【化３】
2005504786.tif 000003
の飽和ラクタムを生成させて、
次いで、一方では一般式IIIの化合物をMelおよびNaHと反応させて一般式IIに示す置換基Ｒ20およびＲ10を有する一般式IV：
【化４】
2005504786.tif 000004
の4-メチル置換化合物を生成させ、
他方では一般式IIIの化合物をシリル媒介酸化により一般式IIに示す置換基Ｒ20およびＲ10を有する一般式V：
【化５】
2005504786.tif 000005
の脱水化合物を生成させ、
さらに一般式Vの脱水化合物を一般式IIIの化合物と同様にMelおよびNaHと反応させて一般式IIに示す置換基Ｒ20およびＲ10を有する一般式VI：
【化６】
2005504786.tif 000006
の４-メチル置換化合物を生成させる、ことを特徴とする方法。
【請求項５】
請求項１から４記載の17-メチレンー4-アザステロイドを製造する方法において、
一般式VII：
【化７】
2005504786.tif 000007
（式中、
Ｒ20は、フルオロ官能基、クロロ官能基、ブロモ官能基またはシアノ官能基を表わし、
Ｒ10は、水素原子またはメチル基を表わす）
の17-メチレンステロイドを、請求項４に記載の要領で反応させて一般式VIII、IX、XおよびXI：
【化８】
2005504786.tif 000008
の化合物を生成させることを特徴とする方法。
【請求項６】
請求項１〜３のいずれか１項に記載の17-メチレンー4-アザステロイドを少なくとも１種類含み、場合によっては薬剤的に適合した助剤および基剤を添加した医薬組成物。
【請求項７】
アンドロゲンのレベルの上昇を処理するための、請求項６に記載の医薬組成物。
【請求項８】
アクネの処理のための、請求項６に記載の医薬組成物。
【手続補正書】
【提出日】平成16年5月6日(2004.5.6)
【手続補正１】
【補正対象書類名】特許請求の範囲
【補正対象項目名】全文
【補正方法】変更
【補正の内容】
【特許請求の範囲】
【請求項１】
ガバペンチンまたはプレガバリンまたはそれらの薬剤として許容される誘導体と、（Ｓ）−（＋）−２−［４−（２−フルオロベンジルオキシ）ベンジルアミノ］プロパンアミド、（Ｒ）−（−）−２−［４−ベンジルオキシベンジルアミノ］−３−フェニル−Ｎ−メチルプロパンアミド、および（Ｓ）−（＋）−２−［４−（３−フルオロベンジルオキシ）−ベンジルアミノ］−Ｎ−メチル−プロパンアミドの、場合により、単一異性体またはその混合物またはその薬剤として許容される誘導体からなる群より選択されるα−アミノアミドとを含む薬剤組成物であって、
α−アミノアミドおよびガバペンチンまたはプレガバリンまたはそれらの薬剤として許容される誘導体は、それぞれのＥＤ５０値の割合に基づく比で存在し、その比が、それぞれ、約１：１から約３０：１または約１：１から約１：３０の範囲にある、薬剤組成物。
【請求項２】
α−アミノアミドおよびガバペンチンまたはプレガバリンは、それぞれのＥＤ５０値の割合に基づく比にあり、その比が、それぞれ、約１：１から約９：１または約１：１から約１：９の範囲にある請求項１に記載の薬剤組成物。
【請求項３】
α−アミノアミドおよびガバペンチンまたはプレガバリンは、それぞれのＥＤ５０値の割合に基づく比にあり、その比が、それぞれ、約１：１から約３：１または１：１から約１：３の範囲にある請求項１または２に記載の薬剤組成物。
【請求項４】
ガバペンチンまたはその薬剤として許容される誘導体、およびα−アミノアミドまたはその薬剤として許容される誘導体を含む請求項１から３のいずれかに記載の薬剤組成物。
【請求項５】
ガバペンチンまたはその薬剤として許容される誘導体を含み、α−アミノアミドが、（Ｓ）−（＋）−２−［４−（２−フルオロベンジルオキシ）ベンジルアミノ］プロパンアミドまたはその薬剤として許容される誘導体である請求項１から４のいずれかに記載の薬剤組成物。
【請求項６】
疼痛症状を処置するための医薬を調製するための請求項１から５のいずれかに記載の薬剤組成物の使用。
【手続補正書】
【提出日】平成16年5月27日(2004.5.27)
【手続補正１】
【補正対象書類名】特許請求の範囲
【補正対象項目名】全文
【補正方法】変更
【補正の内容】
【特許請求の範囲】
【請求項１】
画像を有する生物産物であって、
各花の上に重なるように同一であってパッドで印刷された画像が配置された花のグループを含み、前記花のグループの各花が、前記インク画像を重ねる際に生じるくぼみおよび表面の細胞の損傷がない自然な形態にあることを特徴とする産物。
【請求項２】
前記花のグループがバラを含むことを特徴とする請求項１に記載の産物。
【請求項３】
前記画像が、
（ｉ）前記花のグループにおける花の花びら、または
（ｉｉ）前記花のグループにおける花の葉
の少なくとも一つにパッドで印刷されていることを特徴とする請求項１に記載の産物。
【請求項４】
前記画像が、
（ｉ）文字、
（ｉｉ）数字、
（ｉｉｉ）ロゴ、
（ｉｖ）絵、
（ｖ）シンボル、
（ｖｉ）図案、
（ｖｉｉ）アイコン、または
（ｖｉｉｉ）商標
の少なくとも一つを含むことを特徴とする請求項１に記載の産物。
【請求項５】
前記画像が、転写印刷技術によってパッドで印刷されていることを特徴とする請求項１に記載の産物。
【請求項６】
前記画像が、花の受取人へのコミュニケーションであることを特徴とする請求項１に記載の産物。
【請求項７】
前記コミュニケーションが、花の受取人への個人化されたコミュニケーションであることを特徴とする請求項６に記載の産物。
【請求項８】
前記画像がイベントを記念することを特徴とする請求項１に記載の産物。
【請求項９】
画像を有する生物産物であって、
繰返し可能な画像が上に重ねるように設けられた花を含み、前記花が、前記インク画像を重ねる際に生じる損傷がない自然な形態にあることを特徴とする産物。
【請求項１０】
前記花がバラであることを特徴とする請求項９に記載の産物。
【請求項１１】
前記画像が、
（ｉ）文字、
（ｉｉ）数字、
（ｉｉｉ）ロゴ、
（ｉｖ）絵、
（ｖ）シンボル、
（ｖｉ）図案、
（ｖｉｉ）アイコン、または
（ｖｉｉｉ）商標
の少なくとも一つを含むことを特徴とする請求項９に記載の産物。
【請求項１２】
前記画像が、転写印刷技術によって機械で印刷されていることを特徴とする請求項９に記載の産物。
【請求項１３】
前記画像が、花の受取人へのコミュニケーションであることを特徴とする請求項９に記載の産物。
【請求項１４】
前記コミュニケーションが、花の受取人への個人化されたコミュニケーションであることを特徴とする請求項１３に記載の産物。
【請求項１５】
前記画像がイベントを記念することを特徴とする請求項９に記載の産物。
【請求項１６】
生物産物に画像を与えるシステムであって、
生物産物の一部分と、
転写媒体と、
画像とを含み、前記画像が、前記転写媒体の部分に位置し、前記生物産物に転写画像を提供するために用いられることを特徴とするシステム。
【請求項１７】
前記生物産物が花であることを特徴とする請求項１６に記載のシステム。
【請求項１８】
前記一部分が、
（ｉ）花びら、または
（ｉｉ）葉、
の一つであることを特徴とする請求項１７に記載のシステム。
【請求項１９】
さらに版を備え、前記版が、前記転写媒体の前記一部分に前記画像を配置するために少なくとも部分的にインクで満たされたエッチング画像を含むことを特徴とする請求項１６に記載のシステム。
【請求項２０】
前記版が、板を含み、前記転写媒体が、
（ｉ）パッド、または
（ｉｉ）ローラ
の一つを含むことを特徴とする請求項１９に記載のシステム。